(57)【要約】【課題】  廃棄木材を有効利用すると共に、低価格化、施工性及び作業性の向上を図った法面保全緑化工法を提供する。【解決手段】  斜面を含む法面１上に、木板２を該木板２の長手方向を略水平方向とし、幅方向を法面１と略直角方向にして固定手段（アンカーピン３）によって固定した後、該法面１上に生育基盤材４を吹き付ける法面保全緑化工法を提供する。【選択図】  図２
2006144347.tif 000002
【特許請求の範囲】
【請求項１】
斜面を含む法面上に、木板を該木板の長手方向を略水平方向とし、幅方向を法面と略直角方向にして固定手段によって固定した後、該法面上に生育基盤材を吹き付けることを特徴とする法面保全緑化工法。
【請求項２】
上記木板は、木質系リサイクル材を加工して形成されることを特徴とする請求項１記載の法面保全緑化工法。
【請求項３】
上記木板は、幅２〜６ｃｍ、長さ９０〜１１０ｃｍ、厚み０．６〜１．５ｃｍに形成されることを特徴とする請求項１又は２記載の法面保全緑化工法。
【請求項４】
上記木板は、１又は２以上の複数の孔が開穿されていることを特徴とする請求項１，２又は３記載の法面保全緑化工法。
【請求項５】
上記木板は、片面又は両面に複数の切り込みが形成されていることを特徴とする請求項１，２，３又は４記載の法面保全緑化工法。
【請求項６】
複数の上記木板が、法面上に全体として千鳥格子状に配置されることを特徴とする請求項１，２，３，４又は５記載の法面保全緑化工法。
【請求項７】
上記木板に、保水剤入り肥料袋を取付けることを特徴とする請求項１，２，３，４，５又は６記載の法面保全緑化工法。
【請求項８】
上記木板に、液体肥料を含浸させることを特徴とする請求項１，２，３，４，５，６又は７記載の法面保全緑化工法。
【請求項９】
斜面を含む法面上に、竹材を半割りにした半割り竹材を、竹材の長手方向を略水平方向とし、半割り部を上方に向けて固定手段によって固定した後、該法面上に生育基盤材を吹き付けることを特徴とする法面保全緑化工法。
【請求項１０】
上記竹材は、直径５〜１０ｃｍの竹材を半割りに形成したものであることを特徴とする請求項９記載の法面保全緑化工法。
【請求項１１】
複数の上記竹材が、法面上に全体として千鳥格子状に配置されることを特徴とする請求項９又は１０記載の法面保全緑化工法。
【請求項１２】
上記竹材に、肥料又は保水剤入り肥料を装填することを特徴とする請求項９，１０又は１１記載の法面保全緑化工法。
【発明の詳細な説明】
【技術分野】
【０００１】
本発明は、法面保全緑化工法に関し、特に、盛土や切土の法面若しくは斜面の保全及び緑化を行うための法面保全緑化工法に関する。
【背景技術】
【０００２】
従来、盛土や切土の法面若しくは斜面の保全及び緑化を行うための法面保全緑化工法は種々知られている。
本願出願人も法面保全緑化工法について既に出願しており、例えば、特許文献１では、斜面を含む法面上に傾斜方向に延びる複数の縦ロープを互いに平行に敷設し、互いに隣接する２本の縦ロープ間に丸太状間伐材を配置し、間伐材固定具により縦ロープと丸太状間伐材とを固定した後、法面上に植生基材を吹き付ける法面保全緑化工法を提示している。
【０００３】
又、特許文献２では、法面上に水平方向及び傾斜方向に配置された複数の間伐材の各々を、法面に対して支持アンカーを用いて固定し、固定された間伐材上に金網を敷設し、敷設された金網上に植生基材を吹き付けることにより、吹き付けられた植生基材を間伐材の各々により支持させる法面緑化工法を提示している。
【特許文献１】特開２００３−２１３６９０号公報
【特許文献２】特開２００３−２３９２９２号公報
【発明の開示】
【発明が解決しようとする課題】
【０００４】
前述したように、盛土や切土の法面若しくは斜面の保全及び緑化を行うための法面保全緑化工法は種々知られており、本願出願人も特許文献１及び２の如く、間伐材を用いた法面緑化工法を出願している。この特許文献１及び２に於いて、間伐材を用いることにより、間伐材の有効利用を図ると共に、工法の低価格化、施工性及び作業性向上を図ることができる。
【０００５】
然しながら、法面保全緑化工法は更なる低価格化、施工性及び作業性の向上が望まれている。
一方、林産地域の間伐や、木材加工、木造建築物及び木造構造物の解体等によって、廃棄木材が大量に発生し、その処分問題が発生している。
【０００６】
以上の現状に鑑み、本発明は、廃棄木材を有効利用すると共に、低価格化、施工性及び作業性の向上を図った法面保全緑化工法を提供することを目的とする。
【課題を解決するための手段】
【０００７】
上記の課題を解決すべく、本発明は以下の構成を提供する。
請求項１に係る発明は、斜面を含む法面上に、木板を該木板の長手方向を略水平方向とし、幅方向を法面と略直角方向にして固定手段によって固定した後、該法面上に生育基盤材を吹き付けることを特徴とする法面保全緑化工法を提供するものである。
【０００８】
請求項２に係る発明は、上記木板は、木質系リサイクル材を加工して形成されることを特徴とする請求項１記載の法面保全緑化工法を提供するものである。
請求項３に係る発明は、上記木板は、幅２〜６ｃｍ、長さ９０〜１１０ｃｍ、厚み０．６〜１．５ｃｍに形成されることを特徴とする請求項１又は２記載の法面保全緑化工法を提供するものである。
【０００９】
請求項４に係る発明は、上記木板は、１又は２以上の複数の孔が開穿されていることを特徴とする請求項１，２又は３記載の法面保全緑化工法を提供するものである。
【００１０】
請求項５に係る発明は、上記木板は、片面又は両面に複数の切り込みが形成されていることを特徴とする請求項１，２，３又は４記載の法面保全緑化工法を提供するものである。
【００１１】
請求項６に係る発明は、複数の上記木板が、法面上に全体として千鳥格子状に配置されることを特徴とする請求項１，２，３，４又は５記載の法面保全緑化工法を提供するものである。
【００１２】
請求項７に係る発明は、上記木板に、保水剤入り肥料袋を取付けることを特徴とする請求項１，２，３，４，５又は６記載の法面保全緑化工法を提供するものである。
【００１３】
請求項８に係る発明は、上記木板に、液体肥料を含浸させることを特徴とする請求項１，２，３，４，５，６又は７記載の法面保全緑化工法を提供するものである。
【００１４】
請求項９に係る発明は、斜面を含む法面上に、竹材を半割りにした半割り竹材を、竹材の長手方向を略水平方向とし、半割り部を上方に向けて固定手段によって固定した後、該法面上に生育基盤材を吹き付けることを特徴とする法面保全緑化工法を提供するものである。
【００１５】
請求項１０に係る発明は、上記竹材は、直径５〜１０ｃｍの竹材を半割りに形成したものであることを特徴とする請求項９記載の法面保全緑化工法を提供するものである。
【００１６】
請求項１１に係る発明は、複数の上記竹材が、法面上に全体として千鳥格子状に配置されることを特徴とする請求項９又は１０記載の法面保全緑化工法を提供するものである。
【００１７】
請求項１２に係る発明は、上記竹材に、肥料又は保水剤入り肥料を装填することを特徴とする請求項９，１０又は１１記載の法面保全緑化工法を提供するものである。
【発明の効果】
【００１８】
本発明の請求項１記載の発明によれば、斜面を含む法面上に、木板を該木板の長手方向を略水平方向とし、幅方向を法面と略直角方向にして固定手段によって固定した後、該法面上に生育基盤材を吹き付ける法面保全緑化工法を提供するので、安価な材料を使用し、簡素な工法で法面保全緑化を行うことにより、低価格化、施工性及び作業性の向上を図ることができる。
【００１９】
請求項２記載の発明によれば、上記木板は、木質系リサイクル材を加工して形成されるので、請求項１記載の発明の効果に加え、廃棄木材の有効利用が可能になる。
【００２０】
請求項３記載の発明によれば、上記木板は、幅２〜６ｃｍ、長さ９０〜１１０ｃｍ、厚み０．６〜１．５ｃｍに形成されるので、請求項１又は２記載の発明の効果に加え、木板の幅寸法が吹付厚管理の目安となり、作業性の向上を図ることができると共に、生育基盤材の無駄な吹き付けをなくすことができ、且つ、施工後の外観を良好にすることができる。
【００２１】
請求項４記載の発明によれば、上記木板は、１又は２以上の複数の孔が開穿されているので、請求項１，２又は３記載の発明の効果に加え、水分の流通を促進することができると共に、植生の根系伸長を促すことができる。
【００２２】
請求項５記載の発明によれば、上記木板は、片面又は両面に複数の切り込みが形成されているので、請求項１，２，３又は４記載の発明の効果に加え、木板と生育基盤材とのなじみが良好となり、生育基盤材の流出を防止できる。
【００２３】
請求項６記載の発明によれば、複数の上記木板が、法面上に全体として千鳥格子状に配置されるので、請求項１，２，３，４又は５記載の発明の効果に加え、降雨又は水分を有効に生育基盤材に保水させることができ、生育基盤材の保水性が向上する。
【００２４】
請求項７記載の発明によれば、上記木板に、保水剤入り肥料袋を取付けるので、請求項１，２，３，４，５又は６記載の発明の効果に加え、生育基盤材の乾燥害を防止できると共に、生育基盤材４への施肥及び生育基盤材４の肥効期間の持続が可能となる。
【００２５】
請求項８記載の発明によれば、上記木板に、液体肥料を含浸させるので、請求項１，２，３，４，５，６又は７記載の発明の効果に加え、生育基盤材４への施肥及び生育基盤材４の肥効期間の持続が可能となる。
【００２６】
請求項９記載の発明によれば、斜面を含む法面上に、竹材を半割りにした半割り竹材を、竹材の長手方向を略水平方向とし、半割り部を上方に向けて固定手段によって固定した後、該法面上に生育基盤材を吹き付ける法面保全緑化工法を提供するので、安価な材料を使用し、簡素な工法で法面保全緑化を行うことにより、低価格化、施工性及び作業性の向上を図ることができると共に、竹材に水を貯留することが可能となり、生育基盤材に水を供給して保水性を高めることができる。
【００２７】
請求項１０記載の発明によれば、上記竹材は、直径５〜１０ｃｍの竹材を半割りに形成したものであるので、請求項９記載の発明の効果に加え、竹材に適量の水を貯留できると共に、前記寸法の竹材は比較的に入手しやすいという利点がある。
【００２８】
請求項１１記載の発明によれば、複数の上記竹材が、法面上に全体として千鳥格子状に配置されるので、請求項９又は１０記載の発明の効果に加え、降雨又は水分を有効に生育基盤材に保水させることができ、生育基盤材の保水性が向上する。
【００２９】
請求項１２記載の発明によれば、上記竹材に、肥料又は保水剤入り肥料を装填するので、請求項９，１０又は１１記載の発明の効果に加え、生育基盤材への施肥及び生育基盤材の肥効期間の持続が可能となると共に、保水剤入り肥料の場合は、更に、生育基盤材の乾燥害を防止できる。
【発明を実施するための最良の形態】
【００３０】
以下、実施例を示した図面を参照しつつ本発明の実施の形態を説明する。
図１乃至図５は、本発明の第１の実施形態による一実施例を示す図である。図１は、本発明の法面保全緑化工法によって施工された生育基盤材吹き付け前の法面の正面図である。図２は本発明の法面保全緑化工法によって施工された法面の側面縦断面図である。図３は図１に示す木板を示し、同図（ａ）は幅が３ｃｍの木板の正面図であり、同図（ｂ）は同図（ａ）の側面図であり、同図（ｃ）は幅が５ｃｍの木板の正面図であり、同図（ｄ）は同図（ｃ）の側面図である。図４は図１に示したアンカーピンの正面拡大図である。図５は図２の一部側面縦断面拡大図である。
【００３１】
図１及び図２に示す如く、本発明の法面保全緑化工法は、斜面を含む法面１上に、木板２，２…の長手方向を略水平方向とし、幅方向を法面１と略直角方向にして木板２，２…を固定手段であるアンカーピン３，３…によって固定し、且つ、複数の木板２，２…を全体として千鳥格子状に配置した後、法面１及び木板２，２…上に生育基盤材４を所定厚みに吹き付けるものである。
【００３２】
そして、前記木板２は、例えば、林産地域の間伐や、木材加工、木造建築物及び木造構造物の解体等によって、大量に発生する廃棄木材等の木質系リサイクル材を加工して、図３に示す如く、幅２〜６ｃｍ、長さ９０〜１１０ｃｍ、厚み０．６〜１．５ｃｍ、好適には、同図（ａ）及び（ｂ）に示す木板２Ａの如く、幅３ｃｍ、長さ１００ｃｍ、厚み１．２ｃｍに形成され、或いは、同図（ｃ）及び（ｄ）に示す木板２Ｂの如く、幅５ｃｍ、長さ１００ｃｍ、厚み１．２ｃｍに形成される。
【００３３】
即ち、木板２Ａ、２Ｂは施工対象とする法面１又は斜面に対し、所定の吹付厚さ、例えば、３ｃｍ、又は、５ｃｍの吹付厚さに見合う高さ（幅）に形成される。従って、吹付厚さに合わせて、木板２の幅を加工するが、施工時の吹付厚さによって、或いは、施工時のその他の都合により、前記範囲又は前記範囲を超えた寸法に木板２を加工することも可能である。尚、木板２の厚み及び長さは実際の施工上好適な寸法として設定されたものである。
【００３４】
又、木板２は木質系リサイクル材が望ましいが、これに限定されるものではなく、その他の木板であっても良く、又、木板に代えて一定の期間の経過と共に腐食するその他の材料で形成することも可能である。然る時も同様な効果が期待できる。
【００３５】
更に、前記木板２は、施工時等にロープ又はホース等が引っ掛からないように端部２ａ，２ｂが斜めにカットされ、正面視台形状に形成されている。
図４は前記アンカーピン３を示し、アンカーピン３は先端部３ａが鋭角に尖っており、後端部が折曲されてＵ字状のフック３ｂが形成されている。
【００３６】
而して、図５に示す如く、木板２の長手方向を略水平方向とし、幅方向を法面１と略直角方向にして木板２を法面１上に載置し、木板２の上側側端部にアンカーピン３のフック３ａを引っ掛けてアンカーピン３を法面１方向に打ち込み、木板２を法面１に固定する。この時、木板２は、３本の前記アンカーピン３で夫々木板２の両端近傍及び中央部が固定される。尚、アンカーピン３を打ち込んだ後、アンカーピン３を回転させると、アンカーピン３と木板２との接触部分が増加することにより木板２が更に確実に係止されて抜けにくくなる。
【００３７】
そして、木板２は複数固定されるが、複数の木板２，２…は図１に示すように法面１上に正面視千鳥格子状に配設される。
次に、複数の木板２，２…が正面視千鳥格子状に配設された法面１上に、生育基盤材４が木板２の高さ（幅）を目安として所定の厚みとなるように吹き付けられる。
【００３８】
斯くして、本発明の法面保全緑化工法は、斜面を含む法面１上に、木板２，２…を該木板２，２…の長手方向を略水平方向とし、幅方向を法面１と略直角方向にしてアンカーピン３，３…によって固定した後、法面１上に生育基盤材４を吹き付ける工法であり、木板２，２…を用いるので、従来例の金網等に比較して軽量、且つ、安価な材料を使用し、簡素な工法で法面保全緑化を行うことが可能となり、低価格化、施工性及び作業性の向上を図ることができる。
【００３９】
又、前記木板２は、木質系リサイクル材を加工して形成されるので、廃棄木材の有効利用が可能になり、特に、間伐材が発生する林産地域に貢献することができると共に、木板２は３〜５年の経過によって木板２自体の発酵分解により肥料として植物に還元される。
【００４０】
更に、木板２は、幅２〜６ｃｍ、長さ９０〜１１０ｃｍ、厚み０．６〜１．５ｃｍに形成され、好適には、幅３ｃｍ、長さ１００ｃｍ、厚み１．２ｃｍ、或いは、幅５ｃｍ、長さ１００ｃｍ、厚み１．２ｃｍに形成されるので、木板２が一定形状であることにより、施工性及び作業性が良くなり、又、木板２の寸法によって生育基盤材４の吹付厚管理の目安となり、更なる作業性の向上を図ることができると共に、生育基盤材４の無駄な吹き付けをなくすことができる。更に、施工後の外観を良好にすることができる。
【００４１】
更に又、木板２は、端部が斜めにカットされるので、施工時にロープ、ホース等が不慮に引っ掛かる虞がなくなると共に、カット時に部材裁断時のロスを少なくすることも可能である。
【００４２】
そして、本発明の法面保全緑化工法は、複数の木板２，２…が、法面１上に全体として千鳥格子状に配置されるので、この千鳥格子状の配置によって、降雨を有効に生育基盤材４に保水させることができ、生育基盤材４の保水性が向上し、乾燥害に耐える生育基盤材４の造成ができる。又、木板２自体にも保水性があり、生育基盤材４の保水性を高めることができる。
【００４３】
更に、本発明の法面保全緑化工法は、固定手段としてアンカーピン３を用いるので、木板２を容易に法面１に固定することができると共に、アンカーピン３は安価に入手、又は、製造できる利点がある。
更に又、木板２は、３本のアンカーピン３で夫々両端近傍及び中央部が固定されるので、木板２のたわみの発生を防止できる。
【００４４】
図６は前記木板２に代えて用いることができる本発明の第２の実施形態による一実施例である木板５を示し、同図（ａ）は幅が３ｃｍの木板５Aの正面図であり、同図（ｂ）は同図（ａ）の側面図であり、同図（ｃ）は幅が５ｃｍの木板５Bの正面図であり、同図（ｄ）は同図（ｃ）の側面図である。
【００４５】
木板５（５Ａ、５Ｂ）は、１又は２以上の複数の孔５ａ，５ａ…が木板５の厚み方向に開穿されている。尚、施工する生育基盤材４の厚さによって木板５Ａ又は５Ｂのいずれかが選択される。
【００４６】
木板５は、１又は２以上の複数の孔５ａ，５ａ…が開穿されているので、この１又は２以上の複数の孔５ａ，５ａ…によって、水分の流通を促進することができると共に、植生の根系伸長を促すことができる。尚、複数の孔５ａ，５ａ…は、その大きさ、配置について適宜設定できる。
【００４７】
図７は本発明の第３の実施形態による一実施例を示し、前記木板２に代えて木板６を用いるものであり、図は木板６の施工状態を示す拡大側面縦断面図である。木板６は前記木板２と略同様の形状の木板の両面に切り込み６ａ，６ａ…を入れたものである。木板６は、切り込み６ａ，６ａ…によって生育基盤材４とのなじみが良好となり、生育基盤材４の流出を防止できるものである。
【００４８】
図８は本発明の第４の実施形態による一実施例の法面保全緑化工法を示し、図５に示した、木板２の長手方向を略水平方向とし、幅方向を法面１と略直角方向にして木板２を法面１上に載置した時、木板２の上面に保水剤入り肥料袋７を載置し、木板２の上側側端部にアンカーピン３のフック３ａを引っ掛けてアンカーピン３を法面１方向に打ち込む時に、フック３ａによって保水剤入り肥料袋７も係合させて、木板２を法面１に固定すると共に、木板２に肥料袋７を取付けるものである。尚、アンカーピン３を打ち込んだ後、アンカーピン３を回転させ、アンカーピン３と木板２及び肥料袋７との接触を増加させると木板２及び肥料袋７が更に確実に係止される。
【００４９】
そして、法面１に木板２が配置され、木板２に肥料袋７が取付けられた状態で、法面１上に所定厚みの生育基盤材４が吹き付けられる。
前記保水剤入り肥料袋７によって、生育基盤材４を乾燥害から防止できると共に、生育基盤材４への施肥及び生育基盤材４の肥効期間の持続が可能となる。
【００５０】
尚、前記木板２，５，６に液体肥料を含浸させることも可能であり、然る時は、生育基盤材４への施肥及び生育基盤材４の肥効期間の持続が可能となる。
【００５１】
図９乃至図１１は、本発明の第５の実施形態による一実施例を示す図である。図９は本発明の第５の実施形態による法面保全緑化工法によって施工された法面の側面縦断面図である。図１０は、本発明の第５の実施形態による法面保全緑化工法によって施工された法面の側面拡大縦断面図である。図１０は図９に示す竹材の斜視図である。
【００５２】
図９及び図１０に示す如く、本発明の第５の実施形態による法面保全緑化工法は、斜面を含む法面１上に、竹材を半割りにした半割り竹材８を、竹材８の長手方向を略水平方向とし、半割り部８ａを上方に向けて固定手段であるフック付きアンカー９によって固定した後、該法面１上に生育基盤材４を吹き付けるものである。尚、フック付きアンカー９は、竹材８を係止すべく、上部のフック部９ａが所定の角度を有して折曲されており、竹材８の大きさに合わせてフック部９ａの折曲角度を調整できるように構成されている。
【００５３】
そして、前記竹材８は、図１１に示す如く、所定長さの直径５〜１０ｃｍの竹材を半割りに形成したものであり、施工時等にロープ又はホース等が引っ掛からないように端部８ｂ，８ｃが斜めにカットされ、平面視台形状に形成されている。
【００５４】
更に又、図示は省略するが、前記竹材８内に、肥料又は保水剤入り肥料を装填しても良い。
而して、図１０に示す如く、竹材８の長手方向を略水平方向とし、半割り部８ａを上方に向けてフック付きアンカー９によって固定した後、該法面１上に生育基盤材４を吹き付けると、生育基盤材４は竹材８の中にも入り込み、更に、竹材８の上方及び竹材８の法面１側斜め上方にも生育基盤材４が堆積する。
【００５５】
又、前記竹材８は法面１上に複数固定されるが、複数の竹材８，８…は図１に示す木板（２，２…）と同様に法面１上に正面視千鳥格子状に配設される。
【００５６】
斯くして、本発明の第５の実施形態による法面保全緑化工法は、安価な竹材８を使用し、簡素な工法で法面保全緑化を行うことにより、低価格化、施工性及び作業性の向上を図ることができると共に、竹材８，８…に水を貯留することが可能となり、生育基盤材４に水を供給して保水性を高めることができる。
【００５７】
又、前記竹材８は、直径５〜１０ｃｍの竹材を半割りに形成したものであるので、竹材８に最適な量の水を貯留できると共に、竹材８は手頃な大きさであることから比較的入手しやすいという利点がある。
【００５８】
更に、複数の前記竹材８，８…が、法面１上に全体として千鳥格子状に配置されるので、降雨又は水分を有効に生育基盤材４に保水させることができ、生育基盤材４の保水性が向上する。
【００５９】
更に又、前記竹材８に、肥料又は保水剤入り肥料を装填すれば、生育基盤材への施肥及び生育基盤材４の肥効期間の持続が可能となると共に、保水剤入り肥料の場合は、更に、生育基盤材４の乾燥害を防止できる。
【００６０】
そして、前記竹材８は、端部が斜めにカットされるので、施工時にロープ、ホース等が不慮に引っ掛かる虞がなくなると共に、カット時に部材裁断時のロスを少なくすることも可能である。
【図面の簡単な説明】
【００６１】
【図１】本発明の法面保全緑化工法によって施工された生育基盤材吹き付け前の法面の正面図である。
【図２】本発明の法面保全緑化工法によって施工された法面の側面縦断面図である。
【図３】（ａ）図１に示す幅が３ｃｍの木板の正面図である。（ｂ）前図（ａ）の側面図である。（ｃ）図１に示す幅が５ｃｍの木板の正面図である。（ｄ）前図（ｃ）の側面図である。
【図４】図１に示したアンカーピンの正面拡大図である。
【図５】図２の一部側面縦断面拡大図である。
【図６】（ａ）本発明の第２の実施形態による一実施例である木板５を示し、幅が３ｃｍの木板の正面図である。（ｂ）前図（ａ）の側面図である。（ｃ）本発明の第２の実施形態による一実施例である木板５を示し、幅が５ｃｍの木板の正面図である。（ｄ）前図（ｃ）の側面図である。
【図７】（ａ）本発明の第３の実施形態による一実施例である木板の施工状態を示す拡大側面縦断面図である。
【図８】（ａ）本発明の第４の実施形態による一実施例である法面保全緑化工法の施工状態を示す拡大側面縦断面図である。
【図９】本発明の第５の実施形態による一実施例である法面保全緑化工法の施工状態を示す拡大側面縦断面図である。
【図１０】本発明の第５の実施形態による法面保全緑化工法によって施工された法面の側面拡大縦断面図である。
【図１１】図９に示す竹材の斜視図である。
【符号の説明】
【００６２】
１  法面
２，５，６  木板
４  生育基盤材
５ａ  孔
６ａ  切り込み
７  肥料袋
８  竹材
【図１】
2006144347.tif 000003
【図２】
2006144347.tif 000004
【図３】
2006144347.tif 000005
【図４】
2006144347.tif 000006
【図５】
2006144347.tif 000007
【図６】
2006144347.tif 000008
【図７】
2006144347.tif 000009
【図８】
2006144347.tif 000010
【図９】
2006144347.tif 000011
【図１０】
2006144347.tif 000012
【図１１】
2006144347.tif 000013